(57)【特許請求の範囲】
【請求項１】
アイコン表示指令を受信するステップと、
前記アイコン表示指令によって、表示しようとするアイコンの動的アイコンリソースパッケージを取得するステップと、
前記動的アイコンリソースパッケージを解析して、アイコンリソース情報及び動的説明情報を取得するステップと、
前記アイコンリソース情報及び動的説明情報によって、動的アイコンを生成するステップと、
前記動的アイコンを表示するステップと、を備え、
前記動的アイコンは、動的コンパスアイコンであり、
前記アイコンリソース情報には、羅針盤図案及び指針図案が含まれ、
前記動的説明情報は、前記羅針盤図案及び前記指針図案の表示効果を説明し、システムからジャイロスコープセンサーデータ及びＧＰＳデータを取得するための情報であることを特徴とする動的アイコンの表示方法。
【請求項２】
前記アイコン表示指令によって、表示しようとするアイコンの動的アイコンリソースパッケージを取得するステップの前に、
表示しようとするアイコンに対応する動的アイコンリソースパッケージが記憶されているかを判断し、表示しようとするアイコンに対応する動的アイコンリソースパッケージが記憶されている場合、前記アイコン表示指令によって、表示しようとするアイコンの動的アイコンリソースパッケージを取得するステップを更に備えることを特徴とする請求項１に記載の動的アイコンの表示方法。
【請求項３】
表示しようとするアイコンに対応する動的アイコンリソースパッケージが記憶されていない場合、表示しようとするアイコンの静的アイコンを取得して表示するステップを更に備えることを特徴とする請求項２に記載の動的アイコンの表示方法。
【請求項４】
前記アイコンリソース情報及び動的説明情報によって、動的アイコンを生成するステップは、
前記動的説明情報によってアイコンデータ情報を取得するステップと、
前記動的説明情報によってアイコンリソース情報及びアイコンデータ情報を処理して、動的アイコンを生成するステップと、を備えることを特徴とする請求項１に記載の動的アイコンの表示方法。
【請求項５】
前記アイコンデータ情報には、システム状態情報、センサーデータ情報、及びプログラム状態情報が含まれることを特徴とする請求項４に記載の動的アイコンの表示方法。
【請求項６】
前記動的アイコンを表示するステップの前に、
前記動的アイコンが表示領域内に位置するかを検出し、
前記動的アイコンが表示領域内に位置する場合、前記動的アイコンを更新するステップを更に備えることを特徴とする請求項１に記載の動的アイコンの表示方法。
【請求項７】
前記動的アイコンが表示領域内に位置しない場合、前記動的アイコンの更新を停止するステップを更に備えることを特徴とする請求項６に記載の動的アイコンの表示方法。
【請求項８】
前記動的説明情報にはアイコン更新頻度情報が更に含まれることを特徴とする請求項１に記載の動的アイコンの表示方法。
【請求項９】
アイコン表示指令を受信する表示指令受信ユニットと、
前記アイコン表示指令によって、表示しようとするアイコンの動的アイコンリソースパッケージを取得するリソースパッケージ取得ユニットと、
前記動的アイコンリソースパッケージを解析して、アイコンリソース情報及び動的説明情報を取得するリソースパッケージ解析ユニットと、
前記アイコンリソース情報及び動的説明情報によって、動的アイコンを生成する動的アイコン生成ユニットと、
前記動的アイコンを表示する動的アイコン表示ユニットと、を備え、
動的アイコンは、動的コンパスアイコンであり、
前記アイコンリソース情報には、羅針盤図案及び指針図案が含まれ、
前記動的説明情報は、前記羅針盤図案及び前記指針図案の表示効果を説明し、システムからジャイロスコープセンサーデータ及びＧＰＳデータを取得するための情報であることを特徴とする動的アイコンの表示装置。
【請求項１０】
表示しようとするアイコンに対応する動的アイコンリソースパッケージが記憶されているかを判断するリソースパッケージ判断ユニットを更に備え、
リソースパッケージ取得ユニットは、表示しようとするアイコンに対応する動的アイコンリソースパッケージが記憶されている場合、前記アイコン表示指令によって、表示しようとするアイコンの動的アイコンリソースパッケージを取得することを特徴とする請求項９に記載の動的アイコンの表示装置。
【請求項１１】
表示しようとするアイコンに対応する動的アイコンリソースパッケージが記憶されていない場合、表示しようとするアイコンの静的アイコンを取得して表示することを特徴とする請求項１０に記載の動的アイコンの表示装置。
【請求項１２】
前記動的説明情報によって、アイコンデータ情報を取得するアイコンデータ情報取得ユニットを更に備え、
前記動的アイコン生成ユニットは、前記動的説明情報によってアイコンリソース情報及びアイコンデータ情報を処理して、動的アイコンを生成することを特徴とする請求項９に記載の動的アイコンの表示装置。
【請求項１３】
前記アイコンデータ情報には、システム状態情報、センサーデータ情報、及びプログラム状態情報が含まれることを特徴とする請求項１２に記載の動的アイコンの表示装置。
【請求項１４】
前記動的アイコンが表示領域内に位置するかを検出する表示領域検知ユニットを更に備え、
前記表示領域検知ユニットは、前記動的アイコンが表示領域内に位置する場合、前記動的アイコンを更新することを特徴とする請求項９に記載の動的アイコンの表示装置。
【請求項１５】
前記表示領域検知ユニットは、前記動的アイコンが表示領域内に位置しない場合、前記動的アイコンの更新を停止することを特徴とする請求項１４に記載の動的アイコンの表示装置。
【請求項１６】
前記動的説明情報にはアイコン更新頻度情報が更に含まれ、前記リソースパッケージ解析ユニットはアイコン更新頻度情報をさらに取得することを特徴とする請求項９に記載の動的アイコンの表示装置。
【請求項１７】
プロセッサに実行されることにより、請求項１〜８のいずれか１項に記載の動的アイコンの表示方法を実現することを特徴とするプログラム。
【請求項１８】
請求項１７に記載のプログラムが記録された記録媒体。
【発明の詳細な説明】
【技術分野】
【０００１】
本発明は、モバイル端末技術分野に関し、特に、モバイル端末操作システムの技術分野に関し、具体的には、動的アイコンの表示方法、表示装置、プログラム及び記録媒体に関する。
【背景技術】
【０００２】
アイコンは、コンピューター可視操作システムにおいて極めて重要な役割を果たしている。アイコンは、ドキュメント、プログラム、ウェブサイト、命令を代表できる。その上、アイコンによって、命令を実行したりあるタイプのドキュメントを開くこともできる。操作システムにおいてアプリケーションを起動する入口として、アイコンは便利、速いというメリットを有し、通常、アイコンをシングルクリック、又はダブルクリックするだけで、アイコンに対応するアプリケーションを実行できる。
【０００３】
異なる操作システムに要求されるアイコンのサイズはそれぞれ異なり、ユーザーが容易に識別できるように、普通、同一のプログラムに同一の画像がプログラムのアイコンとして長期に使われる。通常、アイコンは所定の解像度を有する静的画像であり、メディアの効果を全く有しない。
【０００４】
静的画像をアイコンにすることによって、最も基本的な識別の役割しか果たせず、動的効果がなく、その他の関連情報も表示できない。
【発明の概要】
【０００５】
本発明は、関連技術における静的アイコンが単一の効果しか持たないという課題を解決するために、動的アイコンの表示方法、表示装置、プログラム及び記録媒体を提供する。
【０００６】
本発明は、アイコン表示指令を受信するステップと、前記アイコン表示指令によって、表示しようとするアイコンの動的アイコンリソースパッケージを取得するステップと、前記動的アイコンリソースパッケージを解析して、アイコンリソース情報及び動的説明情報を取得するステップと、前記アイコンリソース情報及び動的説明情報によって、動的アイコンを生成するステップと、前記動的アイコンを表示するステップと、を備える動的アイコンの表示方法を提供する。
【０００７】
本発明は、アイコン表示指令を受信する表示指令受信ユニットと、前記アイコン表示指令によって、表示しようとするアイコンの動的アイコンリソースパッケージを取得するリソースパッケージ取得ユニットと、前記動的アイコンリソースパッケージを解析して、アイコンリソース情報及び動的説明情報を取得するリソースパッケージ解析ユニットと、前記アイコンリソース情報及び動的説明情報によって、動的アイコンを生成する動的アイコン生成ユニットと、前記動的アイコンを表示する動的アイコン表示ユニットと、を備える動的アイコンの表示装置を更に提供する。
また、本発明は、プロセッサに実行されることにより、上記の動的アイコンの表示方法を実現するプログラムを提供する。
さらに、また、本発明は、上記プログラムが記録された記録媒体を提供する。
【０００８】
本発明に係る動的アイコンの表示方法、表示装置、プログラム及び記録媒体は、それぞれのプログラムから提供される動的アイコンリソースパッケージによって、プログラムに対応する動的アイコンを生成し、アイコンに動的効果を有させることができる。
【０００９】
なお、上記一般的な説明及び以下の詳細な説明は例示に過ぎず、本発明を制限するものではない。
【図面の簡単な説明】
【００１０】
ここで説明する図面は、本発明をより良く理解するためのものであり、本願の一部を構成するものであるが、本発明を限定するものではない。
【図１】本発明の実施例に係る動的アイコンの表示方法の例示的なフローチャートである。
【図２】本発明の実施例に係る動的コンパスアイコンの表示方法の例示的なフローチャートである。
【図３Ａ】本発明の実施例に係るコンパスアイコンの羅針盤の画像及び指針の画像の例示的な概略図である。
【図３Ｂ】本発明の実施例に係るコンパスアイコンの羅針盤の画像及び指針の画像の例示的な概略図である。
【図４Ａ】本発明の実施例に係る動的のコンパスアイコンの例示的な概略図である。
【図４Ｂ】本発明の実施例に係る動的のコンパスアイコンの例示的な概略図である。
【図５】本発明の実施例に係る動的アイコンの表示装置の例示的なブロック図である。
【図６】本発明の実施例に係る動的アイコン表示装置の例示的なブロック図である。
【００１１】
上記図面によって、本発明の実施例が明確に示されるが、以下により詳細な説明を記載する。これらの図面及び説明は、いずれかの方式によって本発明の思想範囲を制限するのではなく、当業者のために、特定の実施例で本発明の概念を説明するためのものである。
【発明を実施するための形態】
【００１２】
本発明の目的、技術的解決策手段及びメリットがより明確になるように、実施例及び図面に基づき、本発明を更に詳しく説明する。本発明の例示的な実施例及びその説明は、本発明を解釈するためのものであるが、本発明を限定するものではない。
【００１３】
本発明の実施例に動的アイコンの表示方法及び表示装置が提供され、以下、図面に基づいて本発明を詳しく説明する。
【００１４】
第１の実施例
図１は、本発明の実施例に係る動的アイコンの表示方法のフローチャートであり、図１に示すように、動的アイコンの表示方法は、以下のようなステップを備える。
【００１５】
ステップＳ１０１：アイコン表示指令を受信する。
【００１６】
本発明の実施例において、モバイル端末は、ユーザーから入力されたアイコン表示指令を受信し、アイコン表示指令はデスクトップのアイコンを表示する指令であってもよい。例えば、ユーザーがスクリーンロックを解除すると、通常、モバイル端末は複数のアイコンのあるデスクトップインターフェースを表示することになる。この場合、ユーザーから入力されたスクリーンロック解除の指令がアイコン表示指令である。ユーザーがあるアプリケーションを実行するとき、アプリケーションを終了する指令、又は当面のアプリケーションを閉じる指令を入力すると、モバイル端末は複数のアイコンのあるデスクトップインターフェースに戻る。この場合、ユーザーから入力された、アプリケーションを終了する指令、又は当面のアプリケーションを閉じる指令がアイコン表示指令である。
【００１７】
本発明の他の実施例において、操作システムのデスクトップにアイコンが表示されているだけではなく、あるアプリケーションを起動した後、該アプリケーションから提供されるインターフェースにも少なくとも１つのアイコンが表示されることも可能である。この場合、アプリケーションを起動する指令がアイコン表示指令である。
【００１８】
ステップＳ１０２：前記アイコン表示指令によって、表示しようとするアイコンの動的アイコンリソースパッケージを取得する。
【００１９】
本発明の実施例において、モバイル端末はユーザーから入力されたアイコン表示指令を受信した後、最終的にそれに対応するアイコンを表示する必要がある。モバイル端末はユーザーから入力された、デスクトップを表示する指令を受信した後、デスクトップの背景及びデスクトップにおけるアイコンを表示する。この場合、モバイル端末は、まず、全ての表示しようとするアイコンの動的アイコンリソースパッケージを取得する。
【００２０】
本発明の実施例において、モバイル端末は、全ての表示しようとするアイコンの動的アイコンリソースパッケージを取得する前に、まず、それぞれの表示しようとするアイコンに対応する動的アイコンリソースパッケージが記憶されているか否かを判断してもよい。表示しようとするアイコンに対応する動的アイコンリソースパッケージが記憶されている場合、モバイル端末は、動的アイコンリソースパッケージによって後続のステップを実行し続けて動的アイコンを生成するように、表示しようとするアイコンの動的アイコンリソースパッケージを取得する。表示しようとするアイコンに対応する動的アイコンリソースパッケージを有しない場合、モバイル端末は、表示しようとするアイコンに対応する静的アイコンを直接取得して表示する。
【００２１】
本発明の実施例において、動的アイコンリソースパッケージのフォーマットを予め定義することができる。その中に、少なくともアイコンリソース情報及び動的説明情報が含まれる。
【００２２】
ステップＳ１０３：前記動的アイコンリソースパッケージを解析して、アイコンリソース情報及び動的説明情報を取得する。
【００２３】
本発明の実施例において、モバイル端末は、表示しようとするアイコンの動的アイコンリソースパッケージを取得した後、前記動的アイコンリソースパッケージを解析して、動的アイコンリソースパッケージにおけるアイコンリソース情報及び動的説明情報を取得する。動的アイコンリソースパッケージは、アプリケーションの開発者から提供されてもよく、ユーザーがアプリケーションをインストールすると共に、アプリケーションの動的アイコンリソースパッケージを記憶する。
【００２４】
本発明の実施例において、アイコンリソース情報とは、アイコンを表示するために必要な画像ファイル、テキストファイルなどの各種のリソースファイル、及びその位置情報である。動的説明情報は、カスタマイズされたフォーマットを用いて、画像、文字などのアイコンリソース情報の表示内容及び表示効果を説明する。例えば、ある位置に画像、画像動画、文字を表示し、又はシステムからアプリケーション情報（例えば、時間、期日、天気予報など）、センサーデータ（例えば、コンパス）などを取得する。本発明の実施例において、動的アイコンリソースパッケージには、予め生成した動画ファイル、又はビデオファイルが含まれていなくてもよい。
【００２５】
ステップＳ１０４：前記アイコンリソース情報及び動的説明情報によって、動的アイコンを生成する。
【００２６】
本発明の実施例において、モバイル端末に動的アイコンの動画ファイル、又はビデオファイルが記憶されなくてもよく、解析して得られたアイコンリソース情報及び動的説明情報によって動的アイコンをリアルタイムに生成する。
【００２７】
本発明の実施例において、動的説明情報には動的アイコンの更新頻度情報が更に含まれてもよい。モバイル端末は、ステップＳ１０３を実行するとき、前記動的アイコンリソースパッケージを解析してアイコンリソース情報及び動的説明情報を取得すると同時に、動的説明情報から動的アイコンの更新頻度情報を取得することができる。モバイル端末は、動的アイコンの更新頻度情報によって、生成する動的アイコンの更新頻度を決定する。
【００２８】
本発明の実施例において、動的アイコンのアイコンデータ情報には、システム状態情報、センサーデータ情報、プログラム状態情報などのそれぞれの情報が含まれてもよい。モバイル端末は、動的説明情報によってこれらのアイコンデータ情報を取得し、動的説明情報によって、アイコンリソース情報及びアイコンデータ情報を処理して、動的アイコンを生成することができる。このように、動的アイコンには、動的効果があるほかに、動的効果によって現在システム状態情報、センサーデータ情報、プログラム状態情報などのそれぞれのアイコンデータ情報を表示することができる。ここで、システム状態情報には、現在のモバイル端末の電量情報、時間情報、電波強度情報などが含まれてもよい。センサーデータ情報には、現在のモバイル端末の地理位置情報、方向情報、角速度情報、加速度情報などが含まれてもよい。プログラム状態情報には、アプリケーションの通知情報、インターネット通知情報などが含まれてもよい。
【００２９】
カレンダーアイコンについて、モバイル端末が取得したアイコンデータ情報には、新暦カレンダー情報や旧暦カレンダー情報が含まれてもよく、アイコン更新頻度を秒毎に１フレーム更新されるように設定してもよい。動的説明情報は、動的アイコンが新暦カレンダー及び旧暦カレンダーを交互に表示するものと定義されてもよい。このように、モバイル端末が最終的に生成する動的アイコンの効果は、新暦カレンダー及び旧暦カレンダーを秒毎に交互に表示することである。本発明の他の実施例において、アイコンデータ情報には、祝日情報や旧暦節気情報が含まれてもよい。最終的に生成する動的アイコンは、更に祝日情報及び旧暦節気情報などを交互に表示することができる。
【００３０】
コンパスアイコンについて、モバイル端末が取得したアイコンデータ情報にはセンサーデータ情報が含まれてもよく、アイコン更新頻度を秒毎に１０フレーム更新又は２０フレームなど更新されるように設定してもよく、動的説明情報をコンパスアイコンのリアルタイム方向表示指針と定義してもよい。このように、ユーザーはコンパス機能を実行せずに現在の方向を直接に分かる。
【００３１】
天気予報アイコンについて、モバイル端末が取得したアイコンデータ情報にはインターネット側から発送された天気予報情報が含まれてもよい。天気予報情報には温度情報、湿度情報などが含まれてもよい。また、アイコン更新頻度を５秒毎に更新されるように設定してもよい。動的説明情報を天気予報アイコンで現在天気の画像背景を表示する同時に、現在温度及び現在湿度などの情報を交互に表示するものと定義してもよい。
【００３２】
ダイヤルアイコンについて、モバイル端末が取得したアイコンデータ情報には電波強度情報が含まれてもよい。動的説明情報を、電波強度が弱すぎる場合、ダイヤル機能の動的アイコンに電波が弱すぎでダイヤルできない画像を表示するものと定義してもよい。
【００３３】
メッセージアイコンについて、モバイル端末が取得したアイコンデータ情報には未読メッセージ情報が含まれてもよい。動的説明情報を、未読メッセージが存在する場合、メッセージ機能の動的アイコンに未読メッセージの数が含まれた画像を表示するものと定義してもよい。
【００３４】
Ｓ１０５：前記動的アイコンを表示する。
【００３５】
本発明の実施例において、モバイル端末は生成した動的アイコンを表示する。モバイル端末は前記動的アイコンを表示するとき、前記アイコン更新頻度情報によって前記動的アイコンを更新することができる。即ち、モバイル端末のスクリーンに表示されるそれぞれの動的アイコンの更新率はその自身の更新頻度情報によって決定される。
【００３６】
本発明の実施例において、モバイル端末は前記動的アイコンを表示した後、動的アイコンが表示領域内に位置するかを検出することができる。動的アイコンが表示領域内に位置する場合、モバイル端末は更新頻度によって動的アイコンを更新して表示する。モバイル端末がデスクトップアイコンを表示する場合、ユーザーがスクリーンをスライドし、デスクトップに表示されるアイコンを切り替える。一部のアイコンを表示領域外にスライドさせると、モバイル端末は表示領域外のアイコンの更新を停止する。更に、表示領域外のアイコンに対して、該アイコンが表示領域内に戻るまで、モバイル端末は続けて動的アイコンを生成せず、該アイコンが表示領域内に戻ってから、モバイル端末は改めて該動的アイコンを生成して表示する。
【００３７】
本発明に係る動的アイコンの表示方法は、それぞれのプログラムから提供される動的アイコンリソースパッケージによって、プログラムに対応する動的アイコンを生成し、アイコンに動的効果を有させることができ、操作システムのデスクトップに動的アイコンを表示させることもできる。動的アイコンは即時に生成されるため、動的映像アイコンファイルを予め記憶することによる記憶スペースの無駄遣いが回避されてシステムリソースを削減できる。また、表示領域によって表示領域内のアイコンだけに対して生成と表示が行われ、表示領域外のアイコンに対して更新が一時的に停止するため、システムリソースの利用効率が更に向上される。
【００３８】
本発明に係る動的アイコンの表示方法は、アプリケーションの各情報を動的に表示することだけでなく、異なるアプリケーションに対し個々の動的効果を表示することもできるので、ユーザーはアプリケーションを起動せずにアプリケーションについてのより多くの情報を直観的に見ることができる。
【００３９】
第２の実施例
図２は、本発明の実施例に係る動的コンパスアイコンの表示方法のフローチャートであり、図２に示すように、動的コンパスアイコンの表示方法は以下のようなステップを備える。
【００４０】
ステップＳ２０１：コンパスアイコン表示指令を受信する。
【００４１】
本発明の実施例において、モバイル端末はユーザーから入力されたコンパスアイコン表示指令を受信する。本実施例において、コンパスアイコン表示指令はデスクトップにおけるアイコンを表示する指令であってもよい。
【００４２】
ステップＳ２０２：コンパスアイコンに対応する動的アイコンリソースパッケージが記憶されているかを判断する。
【００４３】
コンパスアイコンに対応する動的アイコンリソースパッケージが記憶されている場合、モバイル端末はステップＳ２０３を実行し、コンパスアイコンの動的アイコンリソースパッケージを取得する。コンパスアイコンに対応する動的アイコンリソースパッケージが記憶されていない場合、モバイル端末はステップＳ２０４を実行し、コンパスアイコンに対応する静的アイコンを直接に取得して表示する。
【００４４】
ステップＳ２０３：コンパスアイコンの動的アイコンリソースパッケージを取得する。
本発明の実施例において、モバイル端末は、コンパスアイコンに対応する動的アイコンリソースパッケージが記憶されていると判断すると、コンパスアイコンの動的アイコンリソースパッケージを取得する。動的アイコンリソースパッケージにはアイコンリソース情報及び動的説明情報が含まれる。
【００４５】
ステップＳ２０５：動的アイコンリソースパッケージを解析して、アイコンリソース情報及び動的説明情報を取得する。
【００４６】
本発明の実施例において、モバイル端末はコンパスアイコンの動的アイコンリソースパッケージを取得した後、前記動的アイコンリソースパッケージを解析して、動的アイコンリソースパッケージにおけるアイコンリソース情報及び動的説明情報を取得する。
【００４７】
本発明の実施例において、図３Ａと図３Ｂに示すように、コンパスアイコンのアイコンリソース情報には羅針盤図案及び指針図案が含まれる。動的説明情報はカスタマイズされたフォーマットを用いて、羅針盤図案及び指針図案の表示効果を説明し、システムからジャイロスコープセンサーデータ及びＧＰＳデータを取得する。本発明の実施例において、動的説明情報には動的アイコンの更新頻度情報が更に含まれてもよく、コンパスアイコンの更新頻度は秒毎に１０フレームであってもよい。
【００４８】
ステップＳ２０６：アイコンリソース情報及び動的説明情報によって、動的コンパスアイコンを生成する。
【００４９】
本発明の実施例において、モバイル端末は取得したジャイロスコープセンサーデータと、ＧＰＳデータと、動的説明情報とによって、羅針盤図案及び指針図案を調整し、リアルタイムに動的コンパスアイコンを生成する。
【００５０】
ステップＳ２０７：動的コンパスアイコンを表示する。
【００５１】
本発明の実施例において、モバイル端末は生成した動的コンパスアイコンを表示する。図４Ａと図４Ｂは、本発明の実施例に係る動的コンパスアイコンの概略図であり、図４Ａに示すように、モバイル端末のデスクトップにコンパスアイコンが表示されるとき、コンパスアイコンはリアルタイムに現在の方向を表示する。また、図４Ｂに示すように、モバイル端末の方向が変更されるとき、コンパスアイコンは現在の正確な方向を表示するようにリアルタイムに調整を行う。
【００５２】
ステップＳ２０８：コンパスアイコンが表示領域内に位置するかを検出する。
【００５３】
コンパスアイコンが表示領域内に位置する場合、モバイル端末は更新頻度によってコンパスアイコンを更新して表示し、コンパスアイコンが表示領域外に位置する場合、モバイル端末は続けてコンパスアイコンを更新せず、コンパスアイコンが表示領域内に戻ってから、モバイル端末は改めて動的コンパスアイコンを生成して表示する。
【００５４】
本発明に係る動的コンパスアイコンの表示方法は、コンパスアイコンの動的アイコンリソースパッケージによって動的コンパスアイコンを生成することができ、操作システムのデスクトップ上において直接に動的コンパスアイコンを表示させることができる。また、動的コンパスアイコンは即時に生成されるため、動画映像アイコンを予め記憶することによる記憶スペースの無駄遣いが回避されてシステムリソースを節約することができる。また、表示領域によって、コンパスアイコンが表示領域内に位置するときだけ更新と表示が行われ、コンパスアイコンが表示領域外に位置するときは更新が一時的に停止するため、システムリソースの利用効率が更に向上される。
【００５５】
本発明に係る動的コンパスアイコンの表示方法によれば、ユーザーはコンパスアプリケーションを起動せずにデスクトップ上で現在の方向情報を直観的に見ることができる。
【００５６】
第３の実施例
図５は、本発明の実施例に係る動的アイコンの表示装置のブロック図であり、図５に示すように、動的アイコンの表示装置５００は、以下のような要素を備える。
【００５７】
表示指令受信ユニット５０１：アイコン表示指令を受信する。
【００５８】
本発明の実施例において、モバイル端末の表示指令受信ユニット５０１は、ユーザーから入力されたアイコン表示指令を受信し、アイコン表示指令はデスクトップにおけるアイコンを表示する指令であってもよい。例えば、ユーザーがスクリーンロックを解除すると、通常、モバイル端末は複数のアイコンを備えるデスクトップインターフェースを表示する。この場合、ユーザーから入力されたスクリーンロック解除の指令がアイコン表示指令である。ユーザーがあるアプリケーションを実行するとき、アプリケーションを終了する指令、又は当面のアプリケーションを閉じる指令を入力すると、モバイル端末は複数のアイコンのあるデスクトップインターフェースに戻る。この場合、ユーザーから入力された、アプリケーションを終了する指令、又は当面のアプリケーションを閉じる指令がアイコン表示指令である。
【００５９】
本発明の他の実施例において、操作システムのデスクトップにアイコンが表示されるだけではなく、あるアプリケーションを起動した後、該アプリケーションから提供されるインターフェースにも少なくとも１つのアイコンが表示されることも可能である。この場合、アプリケーションを起動する指令もアイコン表示指令である。
【００６０】
リソースパッケージ取得ユニット５０２；前記アイコン表示指令によって、表示しようとするアイコンの動的アイコンリソースパッケージを取得する。
【００６１】
本発明の実施例において、モバイル端末はユーザーから入力されたアイコン表示指令を受信した後、最終的にそれに対応するアイコンを表示する。表示指令受信ユニット５０１は、ユーザーから入力された、デスクトップを表示する指令を受信した後、デスクトップの背景及びデスクトップにおけるアイコンを表示する。この場合、リソースパッケージ取得ユニット５０２は、まず、全ての表示しようとするアイコンの動的アイコンリソースパッケージを取得する。
【００６２】
本発明の実施例において、リソースパッケージ取得ユニット５０２は、全ての表示しようとするアイコンの動的アイコンリソースパッケージを取得する前に、まず、それぞれの表示しようとするアイコンに対応する動的アイコンリソースパッケージが記憶されているかを判断してもよい。表示しようとするアイコンに対応する動的アイコンリソースパッケージが記憶されている場合、動的アイコンリソースパッケージによってその後のステップを実行し続けて動的アイコンを生成するように、リソースパッケージ取得ユニット５０２は表示しようとするアイコンの動的アイコンリソースパッケージを取得する。表示しようとするアイコンに対応する動的アイコンリソースパッケージを有しない場合、モバイル端末は表示しようとするアイコンに対応する静的アイコンを直接に取得して表示する。
【００６３】
本発明の実施例において、動的アイコンリソースパッケージのフォーマットを予め定義することができるが、その中に、少なくともアイコンリソース情報及び動的説明情報が含まれる。
リソースパッケージ解析ユニット５０３：前記動的アイコンリソースパッケージを解析して、アイコンリソース情報及び動的説明情報を取得する。
【００６４】
本発明の実施例において、リソースパッケージ取得ユニット５０２は表示しようとするアイコンの動的アイコンリソースパッケージを取得した後、リソースパッケージ解析ユニット５０３は前記動的アイコンリソースパッケージを解析して、動的アイコンリソースパッケージにおけるアイコンリソース情報及び動的説明情報を取得する。動的アイコンリソースパッケージは、アプリケーションの開発者から提供されてもよい。ユーザーがアプリケーションをインストールすると共に、アプリケーションの動的アイコンリソースパッケージを記憶する。
【００６５】
本発明の実施例において、アイコンリソース情報とは、アイコンを表示するために必要な画像ファイル、テキストファイルなどの各種のリソースファイル、及びその位置情報である。動的説明情報は、カスタマイズされたフォーマットを用いて、画像、文字などのアイコンリソース情報の表示内容及び表示効果を説明する。例えば、ある位置に画像、画像動画、文字を表示し、又はシステムからアプリケーション情報（例えば、時間、期日、天気予報など）、センサーデータ（例えば、コンパス）などを取得する。本発明の実施例において、動的アイコンリソースパッケージには、予め生成した動画ファイル、又はビデオファイルが含まれなくてもよい。
【００６６】
動的アイコン生成ユニット５０４：前記アイコンリソース情報及び動的説明情報によって、動的アイコンを生成する。
【００６７】
本発明の実施例において、モバイル端末に動的アイコンの動画ファイル、又はビデオファイルが記憶されなくてもよい。動的アイコン生成ユニット５０４は、解析して得られたアイコンリソース情報及び動的説明情報に基づいて動的アイコンをリアルタイムに生成するようにしてもよい。
【００６８】
本発明の実施例において、動的説明情報には動的アイコンの更新頻度情報が更に含まれてもよい。リソースパッケージ解析ユニット５０３は、前記動的アイコンリソースパッケージを解析して、アイコンリソース情報及び動的説明情報を取得する同時に、動的説明情報から動的アイコンの更新頻度情報を取得することもできる。それにより、動的アイコン生成ユニット５０４は動的アイコンの更新頻度情報によって、生成する動的アイコンの更新頻度を決定する。
【００６９】
本発明の実施例において、動的アイコンのアイコンデータ情報には、システム状態情報、センサーデータ情報、プログラム状態情報などのそれぞれの情報が含まれてもよく、リソースパッケージ解析ユニット５０３は動的説明情報によってこれらのアイコンデータ情報を取得し、動的アイコン生成ユニット５０４は動的説明情報によってアイコンリソース情報及びアイコンデータ情報を処理し、動的アイコンを生成することができる。このように、動的アイコンに動的効果があるほかに、動的効果によって現在のシステム状態情報、センサーデータ情報、プログラム状態情報などのそれぞれのアイコンデータ情報を表示することができ、そのうち、システム状態情報には現在のモバイル端末の電量情報、時間情報、電波強度情報などが含まれてもよい。センサーデータ情報には現在のモバイル端末の地理位置情報、方向情報、角速度情報、加速度情報などが含まれてもよい。プログラム状態情報にはアプリケーションの通知情報、インターネット通知情報などが含まれてもよい。
【００７０】
カレンダーアイコンについて、リソースパッケージ解析ユニット５０３が取得したアイコンデータ情報には新暦カレンダー情報や旧暦カレンダー情報が含まれてもよい。アイコン更新頻度を秒毎に１フレーム更新されるように設定してもよい。動的説明情報を動的アイコンで新暦カレンダー及び旧暦カレンダーを交互に表示するものと定義してもよい。このように、動的アイコン生成ユニット５０４が最終的に生成する動的アイコンの効果は、新暦カレンダー及び旧暦カレンダーを秒毎に交互に表示することである。本発明の他の実施例において、アイコンデータ情報には祝日情報及び旧暦節気情報が含まれてもよく、最終的に生成する動的アイコンは更に祝日情報及び旧暦節気情報などを交互に表示することができる。
【００７１】
コンパスアイコンについて、リソースパッケージ解析ユニット５０３が取得したアイコンデータ情報にはセンサーデータ情報が含まれてもよい。アイコン更新頻度を秒毎に１０フレーム又は２０フレーム更新されるなどと設定してもよい。動的説明情報をコンパスアイコンのリアルタイム方向表示指針と定義してもよい。このように、ユーザーはコンパス機能を実行せずに現在の方向を直接に分かる。
【００７２】
天気予報アイコンについて、リソースパッケージ解析ユニット５０３が取得したアイコンデータ情報にはインターネット側から発送された天気予報情報が含まれてもよい。天気予報情報には温度情報、湿度情報などが含まれてもよい。アイコン更新頻度を５秒毎に更新されるように設定してもよい。動的説明情報を天気予報アイコンで現在天気の画像背景を表示する同時に、現在温度と現在湿度などの情報を交互に表示するものと定義してもよい。
【００７３】
ダイヤルアイコンについて、リソースパッケージ解析ユニット５０３が取得したアイコンデータ情報には電波強度情報が含まれてもよい。動的説明情報を、電波強度が弱すぎると、ダイヤル機能の動的アイコンに電波が弱すぎでダイヤルできない画像を表示するものと定義してもよい。
メッセージアイコンについて、リソースパッケージ解析ユニット５０３が取得したアイコンデータ情報には未読メッセージ情報が含まれてもよい。動的説明情報を、未読メッセージが存在する場合、メッセージ機能の動的アイコンには未読メッセージの数が含まれた画像を表示するものと定義してもよい。
【００７４】
動的アイコン表示ユニット５０５：前記動的アイコンを表示する。
【００７５】
本発明の実施例において、動的アイコン表示ユニット５０５は生成した動的アイコンを表示する。動的アイコン表示ユニット５０５は前記動的アイコンを表示するとき、前記アイコン更新頻度情報によって前記動的アイコンを更新することができ、即ち、モバイル端末のスクリーンに表示されるそれぞれの動的アイコンの更新率はその自身の更新頻度情報によって決定される。
【００７６】
本発明の実施例において、動的アイコン表示ユニット５０５は前記動的アイコンを表示した後、動的アイコンが表示領域内に位置するかを検出することができ、動的アイコンが表示領域内に位置する場合、動的アイコン表示ユニット５０５は更新頻度によって動的アイコンを更新して表示し、モバイル端末がデスクトップアイコンを表示する場合、ユーザーがスクリーンをスライドし、デスクトップに表示されるアイコンを切り替え、一部のアイコンを表示領域外にスライドさせると、動的アイコン表示ユニット５０５は表示領域外のアイコンの更新を停止する。更に、表示領域外のアイコンに対して、該アイコンが表示領域内に戻るまで、動的アイコン生成ユニット５０４は続けて動的アイコンを生成せず、該アイコンが表示領域内に戻ってから、モバイル端末は改めて動的アイコンを生成して表示する。
【００７７】
本発明に係る動的アイコン表示装置は、それぞれのプログラムから提供される動的アイコンリソースパッケージによってプログラムに対応する動的アイコンを生成し、アイコンに動的効果を有させることができ、操作システムのデスクトップに動的アイコンを表示させることもできる。動的アイコンは即時に生成されるため、動的映像アイコンファイルを予め記憶することによる記憶スペースの無駄遣いが回避されてシステムリソースを節約できる。また、表示領域によって表示領域内のアイコンだけに対して生成と表示が行われ、表示領域外のアイコンに対して更新が一時的に停止するため、システムリソースの利用効率が更に向上される。
【００７８】
本発明に係る動的アイコンの表示装置は、アプリケーションの各情報を動的に表示することができるだけでなく、異なるアプリケーションに対して個々の動的効果を表示することもできるので、ユーザーはアプリケーションを起動せずにアプリケーションについてのより多くの情報を直観的に見ることができる。
【００７９】
第４の実施例
図６は、本発明の実施例に係る動的アイコン表示装置のブロック図であり、図６に示すように、動的アイコン表示装置６００は以下のような要素を備える。
【００８０】
表示指令受信ユニット６０１：コンパスアイコン表示指令を受信する。
【００８１】
本発明の実施例において、表示指令受信ユニット６０１はユーザーから入力されたコンパスアイコン表示指令を受信し、本実施例において、コンパスアイコン表示指令はデスクトップにアイコンを表示する指令であってもよい。
【００８２】
リソースパッケージ判断ユニット６０２：コンパスアイコンに対応する動的アイコンリソースパッケージが記憶されているかを判断する。
【００８３】
コンパスアイコンに対応する動的アイコンリソースパッケージが記憶されている場合、リソースパッケージ取得ユニット６０３はコンパスアイコンの動的アイコンリソースパッケージを取得する。コンパスアイコンに対応する動的アイコンリソースパッケージが記憶されていない場合、静的アイコン取得ユニット６０４はコンパスアイコンに対応する静的アイコンを直接に取得して表示する。
【００８４】
リソースパッケージ取得ユニット６０３：コンパスアイコンの動的アイコンリソースパッケージを取得する。
【００８５】
本発明の実施例において、リソースパッケージ判断ユニット６０２はコンパスアイコンに対応する動的アイコンリソースパッケージが記憶されていると判断すると、リソースパッケージ取得ユニット６０３はコンパスアイコンの動的アイコンリソースパッケージを取得し、動的アイコンリソースパッケージにはアイコンリソース情報及び動的説明情報が含まれる。
【００８６】
リソースパッケージ解析ユニット６０５：動的アイコンリソースパッケージを解析して、アイコンリソース情報及び動的説明情報を取得する。
【００８７】
本発明の実施例において、リソースパッケージ取得ユニット６０３は、コンパスアイコンの動的アイコンリソースパッケージを取得した後、リソースパッケージ解析ユニット６０５は前記動的アイコンリソースパッケージを解析して、動的アイコンリソースパッケージにおけるアイコンリソース情報及び動的説明情報を取得する。
【００８８】
本発明の実施例において、図３Ａと図３Ｂに示すように、コンパスアイコンのアイコンリソース情報には羅針盤図案と指針図案が含まれる。動的説明情報はカスタマイズされたフォーマットを用いて、羅針盤図案及び指針図案の表示効果を説明する。本発明の実施例において、動的説明情報には、動的アイコンの更新頻度情報が含まれてもよく、コンパスアイコンの更新頻度は秒毎に１０フレームであってもよい。
【００８９】
アイコンデータ情報取得ユニット６０６：動的説明情報によって、アイコンデータ情報を取得する。
【００９０】
本発明の実施例において、アイコンデータ情報取得ユニット６０６はシステムからジャイロスコープセンサーデータ及びＧＰＳデータなどのアイコンデータ情報を取得する。
【００９１】
動的アイコン生成ユニット６０７：前記動的説明情報によってアイコンリソース情報及びアイコンデータ情報を処理して、動的コンパスアイコンを生成する。
【００９２】
本発明の実施例において、動的アイコン生成ユニット６０７は、アイコンデータ情報取得ユニット６０６により取得したジャイロスコープセンサーデータと、ＧＰＳデータと、リソースパッケージ解析ユニット６０５により解析して得られた動的説明情報とによって、羅針盤図案及び指針図案を調整し、リアルタイムに動的コンパスアイコンを生成する。
【００９３】
動的アイコン表示ユニット６０８：動的コンパスアイコンを表示する。
【００９４】
本発明の実施例において、動的アイコン表示ユニット６０８は、生成した動的コンパスアイコンを表示する。図４Ａと図４Ｂは、本発明の実施例に係る動的コンパスアイコンの概略図であり、図４Ａに示すように、モバイル端末のデスクトップにコンパスアイコンが表示されるとき、コンパスアイコンはリアルタイムに現在の方向を表示し、バイル端末の方向が変わるとき、図４Ｂに示すように、コンパスアイコンは現在の正確な方向を表示するようにリアルタイムに調整を行う。
【００９５】
表示領域検知ユニット６０９：コンパスアイコンが表示領域内に位置するかを検出する。
【００９６】
コンパスアイコンが表示領域内に位置する場合、表示領域検知ユニット６０９は更新頻度によってコンパスアイコンを更新して表示する。コンパスアイコンが表示領域外に位置する場合、表示領域検知ユニット６０９は続けてコンパスアイコンを更新せず、コンパスアイコンが表示領域内に戻ってから、モバイル端末は改めて動的コンパスアイコンを生成して表示する。
【００９７】
本発明に係る動的コンパスアイコンの表示装置は、コンパスアイコンの動的アイコンリソースパッケージによって動的コンパスアイコンを生成することができ、操作システムのデスクトップに直接に動的コンパスアイコンを表示することができる。また、動的コンパスアイコンは即時に生成されるため、動画映像アイコンを予め記憶することによる記憶スペースの無駄遣いが回避され、システムリソースが節約できる。また、表示領域によって、コンパスアイコンが表示領域内に位置するときだけ更新と表示が行われ、コンパスアイコンが表示領域外に位置するときは更新が一時的に停止するため、システムリソースの利用効率が更に向上される。
【００９８】
本発明に係る動的コンパスアイコンの表示装置によれば、ユーザーはコンパスアプリケーションを起動せずにデスクトップで現在の方向情報が直観的に見える。
【００９９】
以上の具体的な実施例は、本発明の目的、技術的解決手段及び有益な効果に対して更に詳しく説明したが、以上は本発明の具体的な実施例に過ぎず、本発明の保護範囲を制限するものではない。本発明の精神と原理原則の範囲内で行う修正、均等な置換、改良などは何れも本発明の保護範囲に属する。
【０１００】
本願は、出願番号がＣＮ２０１３１００５７４０２.０であって、出願日が２０１３年２月２２日である中国特許出願に基づき優先権を主張し、当該中国特許出願の内容の全てを本願に援用する。
【図１】
0006339584.tif 000002
【図２】
0006339584.tif 000003
【図３Ａ】
0006339584.tif 000004
【図３Ｂ】
0006339584.tif 000005
【図４Ａ】
0006339584.tif 000006
【図４Ｂ】
0006339584.tif 000007
【図５】
0006339584.tif 000008
【図６】
0006339584.tif 000009